(57)【要約】【課題】  ＶｏＩＰ呼が通話中のＰＳＴＮから発生する着信呼と、ＰＳＴＮ呼が通話中のＶｏＩＰから発生する着信呼について、各々呼が保障できるようにしたＶｏＩＰ端末における呼待機サービス方法及びその装置を提供する。【解決手段】  第１ネットワークを通じて第１端末機と第２端末機とが通話中である状態で、第１ネットワーク又は第２ネットワークを通じて第３端末機から第２端末機への着信呼が受信される場合には、第２端末機に待機呼発生信号を提供し、前記第３端末機から発生された呼を待機呼で維持設定する段階と、前記通話中である第２端末機から待機呼転換信号が受信される場合に、前記通話中である第１端末機を待機呼でスイッチング転換し、前記待機呼で維持設定された第３端末機と前記第２端末機との間に呼を接続する段階と、を含む。  【選択図】  図４Ａ
2005184802.tif 000002
【特許請求の範囲】
【請求項１】
複数のネットワークを通じた端末機間の呼転換サービス方法であって、
第１のネットワークを通じて、第１の端末機と第２の端末機とが通話中にある状態で、第１のネットワーク又は第２のネットワークを通じて、第３の端末機から前記第２の端末機への着信呼を受信した場合には、前記第２の端末機に待機呼発生信号を提供し、前記第３端末機が発する着信呼を、待機呼に設定する段階と、
前記通話中である第２の端末機から待機呼転換信号が受信された場合には、前記通話中である第１の端末機を、待機呼に転換し、前記待機呼に設定された第３の端末機と前記第２の端末機との間に呼を接続する段階と、
を有することを特徴とするネットワークを通じた端末機間の呼転換サービス方法。
【請求項２】
ＰＳＴＮバックアップ機能を有するＶｏＩＰ端末の呼転換サービス方法であって、
第１の電話機と第２の電話機との間のＶｏＩＰ通話中に、第３の電話機から前記第２の電話機へのＶｏＩＰ呼又はＰＳＴＮ呼を受信した場合には、前記第２の電話機に、ＶｏＩＰ待機呼発生信号又はＰＳＴＮ待機呼発生信号を提供し、前記第３の電話機からの着信呼を、待機呼に設定する段階と、
前記第３の電話機からの着信呼を、待機呼に設定した後に、前記ＶｏＩＰ端末に接続したＶｏＩＰライン及びＰＳＴＮラインを、通話中に設定する段階と、
前記通話中である第２の電話機から、フックフラッシュ信号を受信した場合には、前記通話中である第１の電話機を、待機呼に転換して設定し、前記待機呼に設定された第３の電話機と前記第２の電話機との間に、ＶｏＩＰ呼又はＰＳＴＮ呼を接続する段階と、
を有することを特徴とするＰＳＴＮバックアップ機能を有するＶｏＩＰ端末の呼転換サービス方法。
【請求項３】
前記待機呼発生信号は、トーン信号又は待機呼発生音声メッセージの中の少なくとも一つであることを特徴とする請求項２記載のＰＳＴＮバックアップ機能を有するＶｏＩＰ端末の呼転換サービス方法。
【請求項４】
前記第３の電話機からの着信呼を、待機呼に設定する段階は、前記ＰＳＴＮ着信呼又はＶｏＩＰ着信呼が、複数の電話機から受信される場合には、着信呼受信時間差に従って、前記各電話機の着信呼に、優先順位を付与して、順次的に電話機の着信呼を、待機呼に設定する段階をさらに有することを特徴とする請求項２記載のＰＳＴＮバックアップ機能を有するＶｏＩＰ端末の呼転換サービス方法。
【請求項５】
前記第３電話機からの着信呼を待機呼に設定する段階は、
前記通話中である第２の電話機から、フックオン信号を受信した場合には、前記第１の電話機との呼接続を終了して、現在待機呼に設定された前記第３の電話機への呼転換を要求するリング信号を前記第２の電話機へ伝送し、
前記第２の電話機から、フックオフ信号を受信した場合には、前記第２の電話機と待機呼に設定された前記第３の電話機との間に呼を転換して接続する段階を、さらに有することを特徴とする請求項２記載のＰＳＴＮバックアップ機能を有するＶｏＩＰ端末の呼転換サービス方法。
【請求項６】
ＰＳＴＮバックアップ機能を有するＶｏＩＰ端末の呼転換サービス方法であって、
第１の電話機と第２の電話機との間のＰＳＴＮ呼通話中に、第３の電話機から前記第２の電話機へのＶｏＩＰ着信呼を受信した場合には、前記第２の電話機にＶｏＩＰ待機呼発生信号を提供した後に、前記第３の電話機からのＶｏＩＰ着信呼を、待機呼に設定する段階と、
前記第３の電話機からの着信呼を、待機呼に設定した後に、前記ＶｏＩＰ端末に接続されたＶｏＩＰライン及びＰＳＴＮラインを、通話中に設定する段階と、
前記通話中である第２の電話機から、フックフラッシュ信号を受信した場合は、前記通話中である第１の電話機を、待機呼に転換して設定し、前記待機呼に設定された第３の電話機と前記第２の電話機との間にＶｏＩＰ呼を接続する段階と、
を有することを特徴とするＰＳＴＮバックアップ機能を有するＶｏＩＰ端末の呼転換サービス方法。
【請求項７】
前記待機呼発生信号は、トーン信号又は待機呼発生音声メッセージの中の少なくとも一つであることを特徴とする請求項６記載のＰＳＴＮバックアップ機能を有するＶｏＩＰ端末の呼転換サービス方法。
【請求項８】
前記第３の電話機からのＶｏＩＰ着信呼を待機呼で設定する状態で、
前記通話中である第２の電話機から、フックオン信号を受信した場合には、前記第１の電話機との呼接続を終了し、現在待機呼に設定された前記第３の電話機へのＶｏＩＰ呼転換を要求するリング信号を前記第２の電話機へ伝送し、
前記第２の電話機から、フックオフ信号を受信した場合には、前記第２の電話機と待機呼に設定された前記第３の電話機との間に、ＶｏＩＰ呼を転換して接続する段階をさらに有することを特徴とする請求項６記載のＰＳＴＮバックアップ機能を有するＶｏＩＰ端末の呼転換サービス方法。
【請求項９】
少なくとも一つの相違するネットワークを通じた端末機間の呼転換サービスシステムであって、
第１のネットワークインターフェースを通じて、第１の端末機と第２の端末機とが通話中である状態で、第１のネットワークインターフェース又は第２のネットワークインターフェースを通じて、第３の端末機から前記第２の端末機への着信呼を受信した場合には、前記第２の端末機に待機呼発生信号を提供し、前記第３の端末機が発した着信呼を、待機呼に設定する待機呼処理部と、
前記通話中である第２の端末機から待機呼転換信号を受信した場合には、前記通話中である第１の端末機を、待機呼に転換し、前記待機呼に設定された第３の端末機と前記第２の端末機との間に、呼を接続する呼転換処理部と、
を有することを特徴とするネットワークを通じた端末機間の呼転換サービスシステム。
【請求項１０】
前記待機呼処理部から前記第２の端末機に提供する前記待機呼発生信号は、トーン信号又は待機呼発生音声メッセージの中の少なくとも一つであることを特徴とする請求項９記載のネットワークを通じた端末機間の呼転換サービスシステム。
【請求項１１】
前記第３の端末機が発した呼が、待機呼に設定された状態で、前記待機呼処理部は、
前記第１のネットワークインターフェース又は前記第２のネットワークインターフェースを通じて、複数の端末機から着信呼を受信した場合には、着信呼の受信時間差に従って、前記各端末機の着信呼に優先順位を付与して、順次的に端末機の着信呼を待機呼に設定することを特徴とする請求項９記載のネットワークを通じた端末機間の呼転換サービスシステム。
【請求項１２】
前記第３の端末機が発した呼を待機呼に設定した状態で、呼スイッチング処理部は、
前記通話中である第２の端末機から前記第１の端末機との呼接続終了信号を受信した場合には、現在待機呼に設定された前記第３の端末機への呼転換要求信号を、前記第２の端末機へ伝送し、
前記第２の端末機から呼伝送要求信号についての応答信号を受信した場合には、前記第２の端末機と待機呼に設定された前記第３の端末機との間に、呼を転換して接続すること
を特徴とする請求項９記載のネットワークを通じた端末機間の呼転換サービスシステム。
【請求項１３】
前記呼接続終了信号は、フックオン信号であり、前記呼転換要求信号は、リング信号であり、前記呼転換要求信号についての応答信号は、フックオフ信号であることを特徴とする請求項１２記載のネットワークを通じた端末機間の呼転換サービスシステム。
【請求項１４】
ＶｏＩＰラインインターフェースとＰＳＴＮラインインターフェースを具備し、ＰＳＴＮバックアップ機能を有するＶｏＩＰ端末であって、
前記ＶｏＩＰラインインターフェース又は前記ＰＳＴＮラインインターフェースを通じて、第１の電話機と第２の電話機とがＶｏＩＰ呼通話中又はＰＳＴＮ呼通話中に、第３の電話機から前記第２の電話機への、前記ＶｏＩＰラインインターフェース又は前記ＰＳＴＮラインインターフェースを通じて、ＶｏＩＰ着信呼又はＰＳＴＮ着信呼を受信した場合には、前記第２の電話機に、ＶｏＩＰ待機呼発生信号又はＰＳＴＮ待機呼発生信号を提供した後に、前記第３の電話機からのＶｏＩＰ着信呼又はＰＳＴＮ着信呼を、待機呼に設定する第１の着信呼処理部と、
前記待機呼処理部を通じて、前記第３の電話機からの着信呼を、待機呼に設定した後に、前記ＶｏＩＰラインインターフェース及び前記ＰＳＴＮラインインターフェースラインを、通話中に設定する第２の着信呼処理部と、
前記通話中である第２の電話機から、フックフラッシュ信号を受信した場合には、前記ＶｏＩＰ通話中である第１の電話機を、待機呼に転換して設定し、前記第１の着信呼処理部で、待機呼に設定された前記第３の電話機と前記第２の電話機との間に、ＶｏＩＰ呼又はＰＳＴＮ呼を接続する呼転換処理部と、
を有することを特徴とするＶｏＩＰ端末の呼転換サービスシステム。
【請求項１５】
前記第１の着信呼処理部は、前記ＰＳＴＮラインインターフェース又は前記ＶｏＩＰラインインターフェースを通じて、着信呼が、複数の電話機から受信される場合に、着信呼受信時間差に従って、前記各電話機の着信呼に優先順位を付与して、順次的に電話機の着信呼を、待機呼に設定することを特徴とする請求項１４記載のＶｏＩＰ端末の呼転換サービスシステム。
【請求項１６】
ＶｏＩＰ端末が、新しい電話網又はＶｏＩＰ着信呼を監視しながら、第１の電話機と第２の電話機との間でＶｏＩＰ通話する段階と、 
第３の電話機から現在通話中である前記第２の電話機への、ＶｏＩＰ着信呼又は電話網着信呼を受信した場合には、新しいＶｏＩＰ着信呼又は新しい電話網着信呼を受信するという情報を、前記第２の電話機の使用者に知らせるために、ＶｏＩＰ端末が、対応するＶｏＩＰ待機トーン又は電話網待機トーンを、前記第２の電話機へ発し、前記第３の電話機からの前記新しいＶｏＩＰ着信呼又は電話網着信呼を、待機呼に設定する段階と、
二つの呼が設定される場合には、前記第２の電話機が通話中という情報を、着信呼を発する電話機の使用者に知らせるための通話中トーンを、前記対応する電話機に提供するために、前記ＶｏＩＰ端末が、ＶｏＩＰライン及び電話網ラインを、通話中状態で設定する段階と、 
前記ＶｏＩＰラインと前記電話網ラインとが、全部通話中状態で設定される場合は、前記第２の電話機からフックフラッシュ信号を受信したか否かをチェックしながら、前記ＶｏＩＰ端末が、前記第１の電話機及び前記第２の電話機のフック状態を監視する段階と、
を有することを特徴とするＶｏＩＰ端末の呼転換サービス方法。
【請求項１７】
前記第２の電話機から前記フックフラッシュ信号を受信した場合には、現在ＶｏＩＰ通話中である前記第１の電話機を、待機呼に転換し、待機呼に設定された前記第３の電話機と前記第２の電話機との間に、ＶｏＩＰ呼又は電話網呼を接続して、前記第２の電話機と前記第３の電話機との間に、ＶｏＩＰ通話又は電話網通話を行う段階をさらに有することを特徴とする請求項１６記載のＶｏＩＰ端末の呼転換サービス方法 。
【請求項１８】
前記第２の電話機からの前記フックフラッシュ信号を受信しなかった場合には、前記第１の電話機がフックオンされたか否かを、前記フックフラッシュ信号によりチェックする段階をさらに有することを特徴とする請求項１６記載のＶｏＩＰ端末の呼転換サービス方法。
【請求項１９】
前記第１の電話機が、フックオンされなかった場合には、前記第２の電話機が、フックオンされたか否かを、前記ＶｏＩＰ端末がチェックする段階と、
前記第２の電話機が、フックオンされた場合には、前記ＶｏＩＰ端末は、現在通話中である前記第１の電話機とのＶｏＩＰ呼又は電話網呼を終了して、前記第２の電話機にリング信号を提供する段階と、をさらに有することを特徴とする請求項１８記載のＶｏＩＰ端末の呼転換サービス方法。
【請求項２０】
前記リング信号を発する第２の電話機から、フックオフ信号が、一定時間受信されない場合には、待機呼に設定された前記第３の電話機に、前記第２の電話機の使用者が電話を取らないという音声メッセージを伝送し、待機呼に設定された前記第３の電話機とのＶｏＩＰ呼又は電話網呼接続を終了する段階をさらに有することを特徴とする請求項１８記載のＶｏＩＰ端末の呼転換サービス方法 。
【請求項２１】
前記第１の電話機と前記第２の電話機との間で、前記ＶｏＩＰ又は電話網が通話中である状態で、前記第２の電話機についてのＶｏＩＰ着信呼又は電話網着信呼を、前記第３の電話機から受信した場合には、前記ＶｏＩＰ端末が、新しいＶｏＩＰ又は電話網着信呼を受信するという情報を、前記第２の電話機の使用者に知らせるために、待機トーンを前記第２の電話機に提供して、前記第３の電話機を、待機呼に設定することにより、二つ以上の呼を使用者に保障する段階をさらに有することを特徴とする請求項１６記載のＶｏＩＰ端末の呼転換サービス方法 。
【発明の詳細な説明】
【技術分野】
【０００１】
本発明は、公衆電話網(ＰＳＴＮ)バックアップ機能を有するＶｏＩＰ(voice over Internet Protocol)端末における、呼待機サービス方法及びその装置に関し、特に、ＰＳＴＮバックアップ機能を有するＶｏＩＰ端末で、ＶｏＩＰ呼が通話中である場合に、ＰＳＴＮからの着信呼を保障し、ＰＳＴＮ呼が通話中である場合に、ＶｏＩＰからの着信呼についても呼を保障するようにしたＰＳＴＮバックアップ機能を有するＶｏＩＰ端末における呼待機サービス方法及びその装置に関する。
【背景技術】
【０００２】
コンピューター技術の発展とともに、ワールド・ワイド・ウェッブ(world wide web:www)という力強いアプリケーションが登場し、インターネットの使用が一般的になっている。それに伴い、通話費用が相対的に安価なインターネット電話(ＶｏＩＰ電話)サービスの利用が増加している。このようなインターネット電話サービスは、従来の公衆電話網(ＰＳＴＮ)の代りに、インターネット網という通信インフラを用いるために、アナログ形態の音声信号を、パケット形態の音声信号に変換して、音声通話を可能としている。
【０００３】
公衆電話網(ＰＳＴＮ)は、回線交換網として静的なスイッチングを実行して、６４Ｋｂｐｓの固定した帯域幅を提供することから、通話品質が保障されている。しかしながら、インターネット網は、パケット交換網として動的なルーティングを実行して“Best-effort”型サービスを提供するため、通話品質を保障しにくい。ところが、インターネット電話は、安価で長距離通話が可能であり、多様な形態のサービス創出が可能であるという長所があり、実情としては徐々に幅広く使われ始めている。
【０００４】
即ち、ＶｏＩＰを用いたインターネット電話により、既存のネットワーク網をそのまま活用して電話サービスを統合し実現することが可能となり、電話の使用者が市内電話料金だけで、インターネットとイントラネット環境により、市外及び国際電話サービスを受けることが可能となる。
【０００５】
このようなインターネット環境における電話通話は、インターネット網だけではなく、公衆電話網(ＰＳＴＮ)を通じて、電話通話が可能となるときに、その有用性が増大する。
【０００６】
そして、このようなＶｏＩＰ電話の長所のため、ＰＳＴＮ電話機でＶｏＩＰ電話着発信が可能な電話着信システム(ＶｏＩＰ端末)が、開発されて使われ始めている。
【０００７】
しかしながら、現在、ＶｏＩＰ端末は、ネットワーク環境の不安定性と端末の問題点などにより、プライマリーライン(Primary Line)としての機能を発揮することができないのが実情である。
【０００８】
このような問題点を解決するために、ＶｏＩＰ端末にＰＳＴＮインターフェースを追加して補完する試みもなされてはいるが、しかしながら、ＶｏＩＰ端末に電源が供給されない場合や、ネットワークが切断された場合などの限られた状況下で、ＶｏＩＰインターフェースからＰＳＴＮインターフェースに切り換える程度であった。
【０００９】
したがって、ＶｏＩＰインターフェースやＰＳＴＮインターフェースの間に呼待機(Call Waiting)サービスが支援されず、通話中の他のインターフェースの着信呼については、全く保障することができなかった。
【００１０】
従来技術によるＰＳＴＮバックアップ(Back Up)機能を有するＶｏＩＰ端末は、ＶｏＩＰ呼が通話中である場合に、ＰＳＴＮインターフェースで着信される呼を、そのまま放置するか、又は、強制的にＰＳＴＮインターフェースを通話中(Busy)状態で設定して、着信しないようにしていた。また、ＶｏＩＰ呼が通話中である場合にも、同一の方式で、ＶｏＩＰインターフェースを処理していた。
【００１１】
図１は、一般的なＰＳＴＮ機能を有するＶｏＩＰ端末のネットワーク接続構成を示す図である。
【００１２】
図１に示すように、ＶｏＩＰ端末２０は、電話機１０、１１にＶｏＩＰサービスのためのＩＰ(WAN)インターフェース(図示せず)を有し、電話機１２へのＰＳＴＮバックアップ機能のためのＰＳＴＮインターフェース(図示せず)を有する。ここで、ＩＰ(WAN)は、ＬＡＮ、ＨＦＣ、ｘＤＳＬの中の少なくとも一つである。
【００１３】
また、前記ＶｏＩＰ端末２０のＰＳＴＮインターフェースにより、家庭や事務室に設置された一般のＰＳＴＮ電話ラインは、ＶｏＩＰ端末２０に接続している。
【００１４】
以下、上述のように構成されたＰＳＴＮバックアップ機能を有するＶｏＩＰ端末を用いた従来技術による呼処理方法について、図２を参照して、簡単に説明する。
【００１５】
図２は、従来技術のＰＳＴＮバックアップ機能を有するＶｏＩＰ端末における呼処理方法についての動作フローチャートである。
【００１６】
図２に示すように、前記ＶｏＩＰ端末２０は、ＶｏＩＰインターフェースを通じて受信される着信呼と、ＰＳＴＮインターフェースを通じて受信される着信呼とを同時に監視する。
【００１７】
まず、ＰＳＴＮインターフェース、即ち、ＰＳＴＮラインを通じて受信される着信呼に関する呼処理について説明する。
【００１８】
前記ＶｏＩＰ端末２０は、ＰＳＴＮ電話ラインを監視して、ＰＳＴＮ電話ラインを通じて着信呼が感知されたか否かを判断する(ステップ１０１、ステップ１０２、ステップ１０３。なお、図中では、ステップをＳと略す。以下同じ。)。
【００１９】
該判断の結果、ＰＳＴＮ電話ラインを通じて着信呼が感知されると、ＶｏＩＰ電話ラインを通話中状態で設定した後(ステップ１０４)に、ＰＳＴＮ電話ラインを通じて受信される着信呼を、受信電話機に接続して、発信電話機と受信電話機との間に音声通話が行われる(ステップ１０５)。
【００２０】
ここで、ＶｏＩＰ端末２０は、ＰＳＴＮラインを通じて着信呼が感知された場合には、前記ステップＳ１０４のように、ＶｏＩＰ電話ラインを通話中で設定しないで、ＶｏＩＰ電話ラインを通じて着信される着信呼を無視することもできる。
【００２１】
結果として、前述のように、ＰＳＴＮ電話ラインが通話中である状態で、ＶｏＩＰ電話ラインを通じてＶｏＩＰ端末２０に着信呼が受信される場合には、発信電話機へ通話中トーン(Busy Tone)信号を伝送して、ＶｏＩＰ呼発信電話機の使用者に、現在通話中であることを知らせるか、もしくは、受信されるＶｏＩＰ着信呼を無視する。
【００２２】
一方、図２に示すように、ＶｏＩＰ着信呼が受信される場合について説明する。
【００２３】
前記ＶｏＩＰ端末２０は、ＶｏＩＰ電話ラインを監視して、ＶｏＩＰ電話ラインを通じて着信呼が感知されたか否かを判断する(ステップ２０１、２０２、２０３)。
【００２４】
該判断の結果、ＶｏＩＰ電話ラインを通じて着信呼が感知されると、ＰＳＴＮ電話ラインを通話中状態で設定した後(ステップ２０４)に、ＶｏＩＰ電話ラインを通じて受信される着信呼を受信電話機に接続して、発信電話機と受信電話機との間に音声通話が行われる(ステップ２０５)。
【００２５】
ここで、ＶｏＩＰ端末２０は、ＶｏＩＰ電話ラインを通じて着信呼が感知された場合には、ステップＳ２０４のように、ＰＳＴＮ電話ラインを通話中で設定しないで、ＰＳＴＮ電話ラインを通じて着信される着信呼を無視することもできる。
【００２６】
結果として、前述のように、ＶｏＩＰ電話ラインが通話中である状態で、ＰＳＴＮ電話ラインを通じてＰＳＴＮ電話機に着信呼が受信される場合には、発信電話機へ通話中トーン信号を伝送して、ＰＳＴＮ呼発信電話機の使用者に現在通話中であることを知らせるか、または、受信されるＰＳＴＮ着信呼を無視する。
【００２７】
上述のような、従来技術によるＰＳＴＮバックアップ機能を有するＶｏＩＰ端末における呼処理方法は、通話中に他のインターフェースの着信呼を無視するか、放置する場合には、発信者は、着信音を受信することとなるため、相手が通話中であるかを判断できず、継続的に待機しなければならないという問題点がある。
【００２８】
また、長時間ＶｏＩＰ通話中である際に、強制にＰＳＴＮインターフェースを通話中に設定すると、ＰＳＴＮ交換器においてＰＳＴＮ呼のスイッチングに誤動作が発生する可能性があるという問題点がある。
【発明の開示】
【発明が解決しようとする課題】
【００２９】
したがって、本発明は上述したような従来技術の問題点を解決するためになされたもので、その目的は、ＰＳＴＮバックアップ機能を有するＶｏＩＰ端末で、ＶｏＩＰ呼が通話中である場合の、ＰＳＴＮからの着信呼と、ＰＳＴＮ呼が通話中である場合の、ＶｏＩＰからの着信呼について、各々呼が保障できるようにしたＰＳＴＮバックアップ機能を有するＶｏＩＰ端末における呼待機サービス方法及びその装置を提供することにある。
【課題を解決するための手段】
【００３０】
上記目的を達成するための本発明によるネットワークを通じた端末期間号転換サービス方法の一側面によると、第１のネットワークを通じて、第１の端末機と第２の端末機とが通話中である状態で、第１のネットワーク又は第２のネットワークを通じて、第３の端末機から第２の端末機への着信呼が受信される場合には、第２の端末機に、待機呼発生信号を提供し、第３の端末機から発した呼を、待機呼で設定する段階と、通話中である第２の端末機から待機呼転換信号が受信される場合に、通話中である第１の端末機を、待機呼で転換し、待機呼で設定された第３の端末機と第２の端末機との間に呼を接続する段階と、を含む。
【００３１】
好ましくは、第３端末機から発した呼を、待機呼で設定した後に、第１及び第２のネットワーク呼インターフェースを通話中状態で設定する段階をさらに含む。
【００３２】
好ましくは、第１及び第２のネットワークは、ＩＰネットワークとＰＳＴＮの中で少なくとも一つのネットワークを含む。
【００３３】
好ましくは、待機呼発生信号は、トーン信号又は待機呼発生音声メッセージの中で少なくとも一つを含み、第２の端末機から受信された待機呼転換信号は、第２の端末機のフックフラッシュ(Hook-Flash)信号である。
【００３４】
好ましくは、第３の端末機から発した呼を、待機呼で設定する段階で、第１のネットワーク又は第２のネットワークを通じて、複数の端末機から着信呼が受信される場合には、着信呼受信時間差に従って、各端末機の着信呼に優先順位を付与して、順次的な端末機の着信呼を、待機呼で設定する段階を含む。
【００３５】
好ましくは、第３の端末機から発した呼を、待機呼で設定した状態で、通話中である第２の端末機から第１の端末機との呼接続終了信号が受信される場合には、現在待機呼で設定された第３の端末機への呼転換要求信号を、第２の端末機へ伝送し、第２の端末機から呼伝送要求信号についての応答信号が受信される場合には、第２の端末機と、待機呼で設定された第３の端末機との間に、呼を転換し接続する段階を含む。
【００３６】
好ましくは、呼接続終了信号は、フックオン(Hook-On)信号で、呼転換要求信号は、リング信号(Ring Signal)で、呼転換要求信号についての応答信号は、フックオフ(Hook-Off)信号である。
【００３７】
また、本発明によるＰＳＴＮバックアップ機能を有するＶｏＩＰ端末の呼転換サービス方法の他の側面によると、第１の電話機と第２の電話機との間のＶｏＩＰ通話中に、第３の電話機から第２の電話機へのＶｏＩＰ又はＰＳＴＮ呼が、受信される場合には、第２の電話機に、ＶｏＩＰ又はＰＳＴＮ待機呼発生信号を提供した後に、第３の電話機からの着信呼を、待機呼で設定する段階と、第３の電話機からの着信呼を、待機呼で設定した後に、ＶｏＩＰ端末に接続された、ＶｏＩＰ及びＰＳＴＮラインを、通話中で設定する段階と、通話中である第２の電話機からフックフラッシュ信号が受信される場合は、通話中である第１の電話機を、待機呼に転換設定し、待機呼で設定された第３の電話機と第２の電話機との間にＶｏＩＰ又はＰＳＴＮ呼号を接続する段階と、を含む。
【００３８】
好ましくは、第３の電話機からの着信呼を、待機呼で設定した段階で、ＰＳＴＮ又はＶｏＩＰ着信呼が、少なくとも一つの電話機から受信される場合には、着信呼受信時間差に従って、各電話機の着信呼に優先順位を付与して、順次的な電話機の着信呼を、待機呼で設定する段階を含む。
【００３９】
好ましくは、第３の電話機からの着信呼を、待機呼で設定した状態で、通話中である第２の電話機からフックオン信号が受信される場合には、第１の電話機と呼接続を終了して、現在待機呼で設定された第３の電話機への呼転換を要求するためのリング信号を、第２の電話機へ伝送し、第２の電話機からフックオフが受信される場合には、第２の電話機と待機呼で設定された第３の電話機との間に、呼を転換して接続する段階をさらに含む。
【００４０】
また、本発明によるＰＳＴＮバックアップ機能を有するＶｏＩＰ端末の呼転換サービス方法のさらに他の側面によると、第１の電話機と第２の電話機との間のＰＳＴＮ呼通話中に、第３の電話機から第２の電話機へのＶｏＩＰ着信呼が受信される場合は、第２の電話機に、ＶｏＩＰ待機呼発生信号を提供した後に、第３の電話機からのＶｏＩＰ着信呼待機呼を設定する段階と、第３の電話機からの着信呼を、待機呼で設定後に、ＶｏＩＰ端末に接続されたＶｏＩＰ及びＰＳＴＮラインを、通話中で設定する段階と、通話中である第２の電話機からフックフラッシュ信号が受信される場合は、通話中である第１の電話機を、待機呼に転換して設定し、待機呼で設定された第３の電話機と第２の電話機との間にＶｏＩＰ呼を接続する段階とを含む。
【００４１】
一方、本発明による少なくとも一つの相違するネットワークを通じた端末機間の呼転換サービスシステムの一側面によると、第１のネットワークインターフェースを通じて第１の端末機と第２の端末機が通話中である状態で、第１のネットワークインターフェース又は第２のネットワークインターフェースを通じて、第３の端末機から第２の端末機への着信呼が受信される場合には、第２の端末機に待機呼発生信号を提供し、第３の端末機から発した呼を、待機呼で設定する待機呼処理部と、通話中である第２の端末機から待機呼転換信号が受信される場合に、通話中である第１の端末機を、待機呼で転換し、待機呼で設定された第３の端末機と第２の端末機との間に呼を接続する呼スイッチング処理部とを含む。
【００４２】
好ましくは、待機呼処理部は、第３の端末機から発した呼を、待機呼で設定した後に、第１及び第２のネットワークインターフェースラインを通話中状態で設定する。ここで、第１及び第２のネットワークは、ＩＰネットワークとＰＳＴＮ の中で少なくとも一つのネットワークを含む。
【００４３】
好ましくは、第３の端末機から発した呼が、待機呼で設定された状態で、待機呼処理部は、第１のネットワークインターフェース又は第２のネットワークインターフェースを通じて、複数の端末機から着信呼が、受信される場合には、着信呼の受信時間差によって前記各端末機の着信呼に優先順位を付与して、順次的な端末機の着信呼を、待機呼で設定する。
【００４４】
好ましくは、第３の端末機から発した呼を、待機呼で設定した状態で、呼スイッチング処理部は、通話中である第２の端末機から第１の端末機との呼接続終了信号が受信される場合には、現在待機呼で設定された第３の端末機への呼転換要求信号を、第２の端末機へ伝送し、第２の端末機から呼送信要求信号についての応答信号が受信される場合には、第２の端末機と待機呼で設定された第３の端末機との間に呼をスイッチング接続する。
【００４５】
また、ＶｏＩＰラインインターフェースとＰＳＴＮラインインターフェースを具備しＰＳＴＮバックアップ機能を有するＶｏＩＰ端末の他の側面によると、ＶｏＩＰ又はＰＳＴＮラインインターフェースを通じて、第１の電話機と第２の電話機とが、ＶｏＩＰ又はＰＳＴＮ呼通話中に、第３の電話機から第２の電話機へのＶｏＩＰラインインターフェース又はＰＳＴＮラインインターフェースを通じて、ＶｏＩＰ又はＰＳＴＮ着信呼が受信された場合には、第２の電話機に、ＶｏＩＰ又はＰＳＴＮ待機呼発生信号を提供した後に、第３の電話機からのＶｏＩＰ又はＰＳＴＮ着信呼を、待機呼で設定する第１の着信呼処理部と、待機呼処理部を通じて、第３の電話機からの着信呼を、待機呼で設定された後に、ＶｏＩＰ及びＰＳＴＮラインインターフェースラインを、通話中で設定する第２の着信呼処理部と、通話中である第２の電話機からフックフラッシュ信号が受信される場合には、ＶｏＩＰ通話中である第の１電話機を、待機呼で転換して設定し、第１の着信呼処理部で、待機呼で設定された第３の電話機と第２の電話機との間に、ＶｏＩＰ又はＰＳＴＮ呼を接続する呼転換処理部とを含む。
【発明の効果】
【００４６】
本発明によるＰＳＴＮバックアップ機能を有するＶｏＩＰ端末における呼待機サービス方法及びその装置は、第１の電話機及び第２の電話機との間でＶｏＩＰ通話中である状態で、第３の電話機から第２の電話機へのＶｏＩＰ着信呼が受信される場合と、第１の電話機及び第２の電話機との間でＶｏＩＰ通話中である状態で、第３の電話機から第２の電話機へのＰＳＴＮ着信呼が受信される場合と、第１の電話機及び第２の電話機との間でＰＳＴＮ通話中である状態で、第３の電話機から第２の電話機へのＶｏＩＰ着信呼が受信される場合と、ＶｏＩＰ端末で第２の電話機に待機トーン信号を提供して、新しい着信呼が受信されたことを第２の電話機の使用者に知らせて、第３の電話機を待機呼で設定することにより、少なくとも二つ以上のＶｏＩＰ呼又はＰＳＴＮ呼を使用者に保障できる。
【００４７】
従来のＰＳＴＮバックアップ機能を有するＶｏＩＰ端末の場合は、呼待機(Call Waiting)サービスが、ＶｏＩＰとＰＳＴＮで各々行われていたが、本発明は、ＶｏＩＰとＰＳＴＮ呼待機サービスを統合することにより、ＶｏＩＰ通話中にもＰＳＴＮに着信される呼についても保障を受けることができ、また、ＰＳＴＮ通話中にも新たに発生するＶｏＩＰ呼も保障を受けることができる。
【発明を実施するための最良の形態】
【００４８】
以下、本発明の実施形態によるＰＳＴＮバックアップ機能を有するＶｏＩＰ端末における呼待機サービス方法について、添付図面を参照して、実施の形態別に詳細に説明する。
【００４９】
（第１実施形態）
図３Ａは、本発明の第１実施形態によるＰＳＴＮバックアップ機能を有するＶｏＩＰ端末で、電話機間のＶｏＩＰ呼通話中に、他の電話機からＶｏＩＰ呼が発生された場合の呼待機サービスのための呼処理接続の流れを示す図であり、図３Ｂは、図３Ａに示す呼待機サービスのための呼処理過程を説明するための表である。
【００５０】
図３Ａ及び図３Ｂに示すように、まず、ＶｏＩＰ呼通話中に、電話機Ａ１０と電話機Ｘ１３とが、ＶｏＩＰ端末２０のＶｏＩＰインターフェースを通じて、呼接続された状態、即ち、通話中である状態で、ＩＰネットワークに接続した電話機Ａ’１１から電話機 Ｘ１３への着信呼（呼び出し）が受信される場合には、ＶｏＩＰ端末２０は、現在ＶｏＩＰ通話中である受信電話機Ｘ１３へ、新しいＶｏＩＰ呼が発生したことを知らせるための待機トーン(Waiting Tone :wt)信号を提供する。
【００５１】
このように二つの呼、即ち、通話呼と待機呼が設定された状態で、ＶｏＩＰ端末２０は、その以上の着信呼を受信しないために、ＶｏＩＰ及びＰＳＴＮラインを、通話中で設定する。
【００５２】
即ち、通話呼と待機呼が設定された状態で、ＰＳＴＮラインを通じて、電話機Ｂ１２から着信呼が受信される場合には、ＶｏＩＰ端末２０は、電話機Ｂ１２に、通話中信号又は通話中メッセージを提供して、ＰＳＴＮ発信電話機Ｂ１２の使用者に、現在電話機Ｘ１３が通話中であることを知らせる。
【００５３】
このような状態で、現在通話中の受信電話機Ｘ１３が、フックフラッシュ信号を発した場合には、ＶｏＩＰ端末２０は、現在ＶｏＩＰ通話中である発信電話機Ａ１０との呼を、待機呼にスイッチングして転換し、前記電話機Ｘ１３と現在待機呼で設定された電話機Ａ‘１１との間に、ＶｏＩＰ呼を接続して電話機間の音声通話が行われるようにする。
【００５４】
かかる動作と対応する本発明の第１実施形態によるＶｏＩＰ通話中にＶｏＩＰ呼を発した場合の呼待機サービス方法について、図４を参照して、より具体的で段階的に説明する。
【００５５】
図４Ａ及び図４Ｂは、本発明の第１実施形態によるＰＳＴＮバックアップ機能を有するＶｏＩＰ端末におけるＶｏＩＰ呼通話中に、ＶｏＩＰ呼が発生した場合の呼待機サービス方法についての動作フローチャートである。
【００５６】
図４Ａ及び図４Ｂに示すように、まず、第１の電話機(発信側電話機)と第２の電話機(受信側電話機)との間がＶｏＩＰ呼通話中である状態で(ステップ４０１)、ＶｏＩＰ端末は、新しいＰＳＴＮ又はＶｏＩＰ着信呼を監視する(ステップ４０２)。
【００５７】
第３電話機から、現在通話中である第２の電話機へのＶｏＩＰ着信呼が受信された場合(ステップ４０３)には、ＶｏＩＰ端末は、第２の電話機の使用者に、新しいＶｏＩＰ着信呼が受信されたことを知らせるために、第２の電話機にＶｏＩＰ待機トーン信号(wt)を発し、新しいＶｏＩＰ着信呼が発した第３の電話機を、待機呼で設定する(ステップ４０４)。
【００５８】
このように、二つの呼、即ち、通話中である呼、及び、待機中である呼が設定された状態で、ＶｏＩＰ端末は、ＶｏＩＰライン及びＰＳＴＮラインを、通話中で設定する(ステップ４０５)。即ち、二つの呼が、ＶｏＩＰ端末に設定された状態で、さらに他の電話機から着信呼が受信された場合には、着信呼を発生した電話機の使用者に、現在第２の電話機が通話中という状態を知らせるための通話中トーン信号(Busy Tone)を提供するために、二つの呼が設定された状態では、ＶｏＩＰライン及びＰＳＴＮラインを全部通話中状態で設定する。
【００５９】
ＶｏＩＰラインとＰＳＴＮラインを全部通話状態で設定した状態で、ＶｏＩＰ端末は、第１及第２の電話機のフック状態を監視しながら(ステップ４０６)、第２の電話機からフックフラッシュ信号が受信されるか否かをチェックする(ステップ４０７)。
【００６０】
該チェックの結果、第２の電話機からフックフラッシュ信号が受信された場合には、現在ＶｏＩＰ通話中である第１の電話機を、待機呼にスイッチング転換して、待機呼である第３の電話機と第２の電話機との間にＶｏＩＰ呼を接続して、第２の電話機と第３の電話機との間に、ＶｏＩＰ呼通話が行われる(ステップ４０８)。
【００６１】
一方、前記ステップ４０７で、第２の電話機からフックフラッシュ信号が受信されなかった場合には、第１の電話機がフックオンになったか否かをチェックする(ステップ４０９)。
【００６２】
該チェックの結果、第１の電話機が、フックオンになった場合には、ＶｏＩＰ端末は、第２の電話機と、待機中である第３の電話機との間にＶｏＩＰ呼を接続して、第２及び第３の電話機との間に、ＶｏＩＰ通話が行われる(ステップ４１３)。
【００６３】
そして、第２の電話機と第３の電話機との間で、ＶｏＩＰ通話中に、第２又は第３の電話機がフックオンされると(ステップ４１４)、ＶｏＩＰ端末は、二つの電話機間のＶｏＩＰ呼セッションを終了して、ＶｏＩＰ通話が終了する(ステップ４１５)。
【００６４】
また、ステップ４０９で、第１の電話機がフックオンされなかった場合には、ＶｏＩＰ端末は、第２の電話機が、フックオンされたか否かをチェックして(ステップ４１０)、チェックの結果、第２の電話機がフックオンされた場合には、ＶｏＩＰ端末は、現在通話中である第１の電話機とＶｏＩＰ呼通話を終了して、第２の電話機にリング信号を提供する(ステップ４１１)。
【００６５】
リング信号を受ける第２の電話機から、フックオフ信号が一定時間受信されない場合には、現在待機中である第３の電話機に第２の電話機の使用者が電話を取らないという音声メッセージを提供することもでき、また、待機中である第３の電話機とのＶｏＩＰ呼接続を終了することもできる。
【００６６】
また、リング信号を受ける第２の電話機がフックオフされた場合には、現在待機中である第３の電話機とＶｏＩＰ呼を接続して、第２の電話機と第３の電話機間にＶｏＩＰ通話が行われる(ステップＳ４１３)。
【００６７】
結果として、本発明の第１実施形態は、第１の電話機及び第２の電話機との間がＶｏＩＰ通話中である状態で、第３の電話機から第２の電話機への、ＶｏＩＰ着信呼が受信される場合は、ＶｏＩＰ端末から第２の電話機へ待機トーン信号を提供して、新しい着信呼が受信されたことを、第２の電話機の使用者に知らせ、第３の電話機を待機呼で設定することにより、二つのＶｏＩＰ呼を使用者に保障することを可能とした。
【００６８】
なお、上述した実施形態では、二つの待機呼だけの保障を受けることとしたが、待機呼を複数個まで設定して、受信される複数個のＶｏＩＰ着信呼の受信時間の差によって、その優先順位を設定して、同時に使用者に少なくとも二つ以上のＶｏＩＰ待機呼が保障できるようにすることも、この分野の通常の知識を有する者なら誰も理解することができる部分である。ここで、複数個の待機呼を設定した場合には、ＶｏＩＰ着信呼が発生した発信電話機の使用者は、通話待機時間が長時間になるため、待機呼の数を一定数に制限することが好ましい。
【００６９】
また、上述のように複数個のＶｏＩＰ着信呼が受信された場合は、使用者に相異なる待機トーン信号を提供することにより、使用者が、現在着信呼の待機中の数を容易に確認できるようにすることも可能である。
【００７０】
（第２実施形態）
図５Ａは、本発明の第２実施形態によるＰＳＴＮバックアップ機能を有するＶｏＩＰ端末における、電話機間のＶｏＩＰ呼通話中に、他の電話機からＰＳＴＮ着信呼が発生した場合の、呼待機サービスのための呼処理接続流れを示す図であり、図５Ｂは、図５Ａに示す呼待機サービスのための呼処理の過程を説明するための表である。
【００７１】
図５Ａ及び図５Ｂに示すように、まず、ＶｏＩＰ呼通話中、電話機Ａ１０と電話機Ｘ１３とが、ＶｏＩＰ端末２０のＶｏＩＰインターフェースを通じて呼接続された状態、即ち、通話中である状態で、ＰＳＴＮ網に接続された電話機Ｂ１２から、電話機Ｘ１３への着信呼（呼び出し）が受信される場合には、ＶｏＩＰ端末２０は、現在ＶｏＩＰ通話中である受信電話機Ｘ１３に、新しいＰＳＴＮ呼が発したことを知らせるための待機トーン信号を提供した後に、ＰＳＴＮ呼、即ち、電話機Ｂ１２から受信されたＰＳＴＮ呼を、待機呼に設定する。
【００７２】
このように、二つの呼、即ち、通話呼と待機呼が設定された状態で、ＶｏＩＰ端末２０は、その以上の着信呼を受信しないために、ＶｏＩＰ及びＰＳＴＮラインを通話中で設定する。
【００７３】
即ち、通話呼と待機呼が設定された状態で、ＶｏＩＰラインを通じて電話機Ａ’１１から新しい着信呼が受信される場合には、ＶｏＩＰ端末２０は、電話機Ａ’１１に、通話中信号又は通話中メッセージを提供して、電話機Ａ’１１の使用者に、現在電話機Ｘ１３が通話中であることを知らせる。
【００７４】
このような状態で、現在通話中である電話機Ｘ１３が、フックフラッシュ信号を発した場合には、ＶｏＩＰ端末２０は、現在ＶｏＩＰ通話中である電話機Ａ１０との呼を、待機呼にスイッチングして転換し、電話機Ｘ１３と現在待機呼で設定された電話機Ｂ１２との間に、ＶｏＩＰ呼を接続して、電話機間の音声通話が行われるようにする。
【００７５】
かかる動作と対応する本発明の第２実施形態によるＶｏＩＰ通話中にＰＳＴＮ呼が発生した場合の呼待機サービス方法について、図６を参照して、より具体的かつ段階的に説明する。
【００７６】
図６Ａ及び図６Ｂは、本発明の第２実施形態によるＰＳＴＮバックアップ機能を有するＶｏＩＰ端末におけるＶｏＩＰ呼通話中に、ＰＳＴＮ呼が発せられた場合の呼待機サービス方法についての動作フローチャートである。
【００７７】
図６Ａ及び図６Ｂに示すように、まず、第１の電話機(発信電話機)と第２の電話機(受信電話機)とが、ＶｏＩＰ呼通話中である状態で(ステップ６０１)、ＶｏＩＰ端末は、新しいＰＳＴＮ又はＶｏＩＰ着信呼を監視する(ステップ６０２)。
【００７８】
第３の電話機から、現在通話中である第２の電話機へのＰＳＴＮ着信呼が、受信された場合(ステップ６０３)には、ＶｏＩＰ端末は、第２の電話機の使用者に、新しいＰＳＴＮ着信呼が受信されたことを知らせるために、第２の電話機に、ＰＳＴＮ待機トーン信号(wt)を発し、新しいＰＳＴＮ着信呼を発した第３の電話機を、待機呼に設定する(ステップ６０４)。
【００７９】
このように、二つの呼、即ち、通話中である呼、及び、待機中である呼が、設定された状態で、ＶｏＩＰ端末は、ＶｏＩＰライン及びＰＳＴＮラインを、通話中に設定する(ステップ６０５)。即ち、二つの呼が、ＶｏＩＰ端末で設定された状態で、さらに、他の電話機から着信呼が受信された場合には、着信呼を発した電話機の使用者に、現在第２の電話機が通話中であるという状態を知らせるための通話中トーン信号を提供するために、二つの呼が設定された状態では、ＶｏＩＰライン及びＰＳＴＮラインを、すべて通話中状態で設定する。
【００８０】
ＶｏＩＰラインとＰＳＴＮラインを全部通話中で設定した状態では、ＶｏＩＰ端末は、第１及び第２の電話機のフック状態を監視しながら(ステップ６０６)、第２の電話機から、フックフラッシュ信号が受信されたか否かをチェックする(ステップ６０７)。
【００８１】
該チェックの結果、第２の電話機からフックフラッシュ信号が受信された場合には、現在ＶｏＩＰ通話中である第１の電話機を、待機呼にスイッチング転換し、待機呼で設定された第３電話機と第２電話機との間にＰＳＴＮ呼を接続して、第２の電話機と第３の電話機との間に、ＰＳＴＮ音声通話が行われる(ステップ６０８)。
【００８２】
一方、ステップ６０７で、第２の電話機から、フックフラッシュ信号が受信されなかった場合には、第１の電話機が、フックオンになったか否かをチェックする(ステップ６０９)。
【００８３】
該チェックの結果、第１の電話機が、フックオンになった場合には、ＶｏＩＰ端末は、第２の電話機と待機で設定された第３の電話機との間にＰＳＴＮ呼を接続して、第２及び第３の電話機との間に、ＰＳＴＮ音声通話が行われるようにする(ステップ６１３)。
【００８４】
そして、第２の電話機と第３の電話機との間で、ＰＳＴＮ音声通話中に、第２又は第３の電話機がフックオンされると(ステップ６１４)、ＶｏＩＰ端末は、二つの電話機間のＰＳＴＮ呼セッションを終了して、ＰＳＴＮ通話が終了する(ステップ６１５)。
【００８５】
一方で、ステップ６０９で、第１の電話機がフックオンされなかった場合には、ＶｏＩＰ端末は、第２の電話機がフックオンされたか否かをチェックして(ステップ６１０)、チェックの結果、第２の電話機がフックオンされた場合には、ＶｏＩＰ端末は、現在通話中である第１の電話機とＶｏＩＰ呼通話を終了して、第２の電話機にリング信号を提供する(ステップ６１１)。
【００８６】
リング信号を受ける第２の電話機から、フックオフ信号が一定時間受信されない場合には、現在待機呼で設定された第３の電話機に、第２の電話機の使用者が電話を取らない、という音声メッセージを提供することもでき、待機中である第３の電話機とのＰＳＴＮ呼接続を終了することもできる。
【００８７】
一方、リング信号を受ける第２の電話機がフックオフされた場合には、現在待機呼で設定された第３の電話機とＰＳＴＮ呼を接続して、第２の電話機と第３の電話機間に、ＰＳＴＮ音声通話が行われる(ステップ６１３)。
【００８８】
結果として、本発明の第２実施形態は、第１の電話機及び第２の電話機とがＶｏＩＰ通話中である状態で、第３の電話機から第２の電話機へのＰＳＴＮ着信呼が受信される場合は、ＶｏＩＰ端末から第２の電話機に待機トーン信号を提供して、新しいＰＳＴＮ着信呼が受信されたことを第２の電話機の使用者に知らせ、第３の電話機を待機呼に設定することにより、二つの呼を使用者に保障するようにした。
【００８９】
なお、上述した実施形態では、二つの待機呼だけの保障を受けることができるようにしたが、待機呼を複数個設定して、受信される複数個のＶｏＩＰ又はＰＳＴＮ着信呼の受信時間の差によって、その優先順位を設定して、同時に使用者に二以上の待機呼が保障できるようにすることは、この分野の通常の知識を有する者なら誰も理解することができる部分である。ここで、複数個の待機呼を設定した場合には、ＶｏＩＰ着信呼が発生した発信電話機の使用者は、通話待機時間が長時間となるため、待機呼の数を一定数に制限することが好ましい。
【００９０】
また、上述のように複数個のＶｏＩＰ又はＰＳＴＮ着信呼が受信された場合には、使用者に相違する待機トーン信号を提供することにより、現在待機中の着信呼の数を容易に確認できる。
【００９１】
（第３実施形態）
図７Ａは、本発明の第３実施形態によるＰＳＴＮバックアップ機能を有するＶｏＩＰ端末における電話機間のＰＳＴＮ呼通話中に、他の電話機からＶｏＩＰ着信呼が発生した場合の呼待機サービスのための呼処理接続の流れを示す図であり、図７Ｂは、図７Ａに示す呼待機サービスのための呼処理過程を説明するための表である。
【００９２】
図７Ａ及び図７Ｂに示すように、まず、ＰＳＴＮ呼通話中、例えば、電話機Ｂ１２と電話機Ｘ１３とが、ＶｏＩＰ端末２０のＰＳＴＮラインインターフェースを通じて呼接続された状態、即ち、通話中である状態で、ＩＰネットワークに位置する電話機Ａ１０から電話機Ｘ１３へのＶｏＩＰ着信呼（呼び出し）が、受信される場合には、ＶｏＩＰ端末２０は、現在ＶｏＩＰ通話中である受信電話機Ｘ１３に、新しいＶｏＩＰ呼が発せられたことを知らせる待機トーン信号を提供する。
【００９３】
このように、二つの呼、即ち、通話呼と待機呼が設定された状態で、ＶｏＩＰ端末２０は、その以上の着信呼を受信しないために、ＶｏＩＰ及びＰＳＴＮラインを通話中に設定するようになる。
【００９４】
即ち、通話呼と待機呼が設定された状態で、例えば、ＶｏＩＰラインインターフェースを通じて電話機Ａ’１１から着信呼が受信される場合には、ＶｏＩＰ端末２０は、電話機Ａ’１１に、通話中信号又は通話中メッセージを提供して、電話機Ａ’１１の使用者に、現在電話機Ｘ１３が通話中である、ということを知らせる。
【００９５】
このような状態で、さらに他の電話機Ｂ’１２’からＰＳＴＮ着信呼が受信される場合には、ＶｏＩＰ端末２０は、これを感知することができなくなる。即ち、電話機Ｂ’１２’から発生した追加的なＰＳＴＮ呼をＶｏＩＰ端末２０では感知しにくい。これは、ＶｏＩＰ呼は、ＶｏＩＰ端末２０で管理するが、ＰＳＴＮ呼は、電話局でＰＳＴＮスィッチにより管理するからである。
【００９６】
一番目のＰＳＴＮ呼の場合は、リング信号の電圧を通じて感知が可能であるが、二番目のＰＳＴＮ呼の場合には、ＰＳＴＮスィッチから伝送されるアナログ形態のＰＳＴＮ呼待機信号のみであるため、これをＶｏＩＰ端末２０では感知することが難しいからである。
【００９７】
二番目のＰＳＴＮ呼を感知するための方法としては、ＶｏＩＰ端末２０のＤＳＰ(図示せず)モジュールで信号を分析して感知することはできるものの、相当な技術を要する。例えば、ＰＳＴＮ待機呼信号と類似の雑音が発生する場合には、ＶｏＩＰ端末２０は、判断不能になる。もちろん、図７Ｂの２番目と３番目の呼が発生しない場合には、ＶｏＩＰ端末２０の制御の必要なしに、ＰＳＴＮスィッチが提供するＰＳＴＮ待機呼サービスを通じて、図７Ｂの４番目の呼が保障される。
【００９８】
一方で、現在通話中である受信電話機Ｘ１３からフックフラッシュ信号が発生した場合には、ＶｏＩＰ端末２０は、現在ＰＳＴＮ通話中である電話機Ｂ１２との呼を待機呼でスイッチングして転換し、電話機Ｘ１３と現在待機呼で設定された電話機Ａ１０との間にＶｏＩＰ呼を接続して電話機間の音声通話が行われるようにする。
【００９９】
かかる動作と相応する本発明の第３実施形態によるＰＳＴＮ通話中にＶｏＩＰ呼が発生した場合の呼待機サービス方法について、図８を参照して、より具体的で段階的に説明する。
【０１００】
図８Ａ及び図８Ｂは、本発明の第３実施形態によるＰＳＴＮバックアップ機能を有するＶｏＩＰ端末におけるＰＳＴＮ呼通話中に、ＶｏＩＰ呼が発生した場合の呼待機サービス方法についての動作フローチャートである。
【０１０１】
図８Ａ及び図８Ｂに示すように、まず、第１の電話機(発信電話機)と第２の電話機(受信電話機)とがＰＳＴＮ呼通話中である状態で(ステップ８０１)、ＶｏＩＰ端末は、新しいＰＳＴＮ又はＶｏＩＰ着信呼を監視する(ステップ８０２)。
【０１０２】
第３の電話機から現在通話中である第２の電話機へのＶｏＩＰ着信呼が受信された場合(ステップ８０３)には、ＶｏＩＰ端末は、第２の電話機の使用者に新しいＶｏＩＰ着信呼が受信されたことを知らせるために、第２の電話機にＶｏＩＰ待機トーン信号(wt)を発し、新しいＶｏＩＰ着信呼を発した第３の電話機を、待機呼に設定する(ステップ８０４)。
【０１０３】
このように、二つの呼、即ち、通話中である呼、及び待機中である呼が、設定された状態で、ＶｏＩＰ端末は、ＶｏＩＰライン及びＰＳＴＮラインを、通話中に設定する(ステップ８０５)。即ち、二つの呼がＶｏＩＰ端末で設定された状態で、さらに他の電話機からＰＳＴＮ又はＶｏＩＰ着信呼が受信された場合には、着信呼を発生した電話機の使用者に、現在第２の電話機が通話中である、という状態を知らせる通話中トーン信号を提供するために、二つの呼が設定された状態では、ＶｏＩＰライン及びＰＳＴＮラインを全部通話中状態に設定する。
【０１０４】
ＶｏＩＰラインとＰＳＴＮラインを全部通話中で設定した状態で、新しい電話機からＰＳＴＮ着信呼が受信される場合は、ＰＳＴＮ着信呼をＶｏＩＰ端末では感知しにくい状態である。即ち、新しいＰＳＴＮ呼は、感知しにくいが、ＶｏＩＰ端末のＤＳＰモジュールを通じて、これを感知して、新しいＰＳＴＮ着信呼が発生した電話機に通話中トーン信号を提供することができる。
【０１０５】
また、二つの呼が設定された状態で、複数のＶｏＩＰ着信呼が受信される場合には、受信される複数個のＶｏＩＰ着信呼を受信時間の差によって、その優先順位を設定して、同時に使用者に二つ以上の待機呼が保障できることは、この分野の通常の知識を有する者なら誰も理解することができる部分である。ここで、複数個の待機呼を設定した場合には、ＶｏＩＰ着信呼が発生した発信電話機の使用者は、通話待機時間が長時間となるため、待機呼の数を一定数に制限することが好ましい。
【０１０６】
また、上述のように複数個のＶｏＩＰ又はＰＳＴＮ着信呼が受信された場合は、使用者に相違する待機トーン信号を提供することにより、現在、待機中の着信呼の数を容易に確認することが可能となる。
【０１０７】
図８のステップ８０５のような、二つの呼が設定されて、ＶｏＩＰライン及びＰＳＴＮラインが、通話中で設定された状態で、ＶｏＩＰ端末は、第１及び第２の電話機のフック状態を監視しながら(ステップ８０６)、第２の電話機からフックフラッシュ信号が受信されたか否かをチェックする(ステップ８０７)。
【０１０８】
該チェックの結果、第２の電話機からフックフラッシュ信号が受信された場合には、現在ＰＳＴＮ通話中である第１の電話機を、待機呼にスイッチング転換し、待機呼が設定された第３の電話機と第２の電話機との間に、ＶｏＩＰ呼を接続して、第２の電話機と第３の電話機との間に、ＶｏＩＰ通話が行われる(ステップ８０８)。
【０１０９】
一方、ステップ８０７で、第２の電話機からフックフラッシュ信号が、受信されなかった場合は、第１の電話機がフックオンになったか否かをチェックする(ステップ８０９)。
【０１１０】
該チェックの結果、第１の電話機がフックオンされた場合には、ＶｏＩＰ端末は、第２の電話機と、待機呼で設定された第３の電話機との間にＶｏＩＰ呼接続して、第２及び第３の電話機との間にＶｏＩＰ通話が行われる(ステップ８１３)。
【０１１１】
そして、第２の電話機と第３の電話機との間でＶｏＩＰ通話中に、第２又は第３の電話機がフックオンされると(ステップ８１４)、ＶｏＩＰ端末は、二つの電話機間のＶｏＩＰ呼セッションを終了して、ＶｏＩＰ通話が終了する(ステップ８１５)。
【０１１２】
一方で、ステップ８０９で、第１の電話機がフックオンされなかった場合には、ＶｏＩＰ端末は、第２の電話機がフックオンされたか否かをチェックして(ステップ８１０)、チェック結果、第２の電話機がフックオンされた場合には、ＶｏＩＰ端末は、現在通話中である第１の電話機とＰＳＴＮ呼通話を終了して、第２の電話機にリング信号を提供する(ステップ８１１)。
【０１１３】
リング信号を受ける第２の電話機からフックオフ信号が、一定時間受信されない場合には、現在待機中である第３の電話機に、第２の電話機の使用者が電話を取らない、という音声メッセージを提供することもでき、待機呼が設定された第３の電話機とのＶｏＩＰ呼接続を終了することもできる。
【０１１４】
一方、リング信号を受ける第２の電話機がフックオフされた場合には、現在待機中である第３の電話機とＶｏＩＰ呼を接続して、第２の電話機と第３の電話機間に、ＶｏＩＰ通話が行われる(ステップ８１３)。
【０１１５】
結果として、本発明の第３実施形態は、第１の電話機及び第２の電話機との間で、ＰＳＴＮ通話中である状態で、第３の電話機から第２の電話機へのＶｏＩＰ着信呼が受信される場合は、ＶｏＩＰ端末から第２の電話機に、待機トーン信号を提供して、新しい着信呼が受信されたことを第２の電話機の使用者に知らせ、第３の電話機を待機呼に設定することにより、少なくとも二つのＶｏＩＰ呼を使用者に保障するようにした。
【図面の簡単な説明】
【０１１６】
【図１】従来のＰＳＴＮバックアップ機能を有するＶｏＩＰ端末のネットワーク接続構成を示す図である。
【図２】従来のＰＳＴＮバックアップ機能を有するＶｏＩＰ端末における呼処理方法についての動作フローチャートである。
【図３Ａ】本発明の第１実施形態によるＶｏＩＰ端末におけるＶｏＩＰ呼通話中に、ＶｏＩＰ呼が発生した場合の呼待機サービスのための呼接続流れを示す図である。
【図３Ｂ】本発明の第１実施形態によるＶｏＩＰ端末におけるＶｏＩＰ呼通話中に、ＶｏＩＰ呼が発生した場合の呼待機サービスのための呼接続流れを示す図である。
【図４Ａ】本発明の第１実施形態によるＶｏＩＰ端末におけるＶｏＩＰ呼通話中に、ＶｏＩＰ呼が発生した場合の呼待機サービス方法についての動作フローチャートである。
【図４Ｂ】本発明の第１実施形態によるＶｏＩＰ端末におけるＶｏＩＰ呼通話中に、ＶｏＩＰ呼が発生した場合の呼待機サービス方法についての動作フローチャートである。
【図５Ａ】本発明の第２実施形態によるＶｏＩＰ端末におけるＶｏＩＰ呼通話中に、ＰＳＴＮ呼が発生した場合の呼待機サービスのための呼接続流れを示す図である。
【図５Ｂ】本発明の第２実施形態によるＶｏＩＰ端末におけるＶｏＩＰ呼通話中に、ＰＳＴＮ呼が発生した場合の呼待機サービスのための呼接続流れを示す図である。
【図６Ａ】本発明の第２実施形態によるＶｏＩＰ端末におけるＶｏＩＰ呼通話中に、ＰＳＴＮ呼が発生した場合の呼待機サービス方法についての動作フローチャートである。
【図６Ｂ】本発明の第２実施形態によるＶｏＩＰ端末におけるＶｏＩＰ呼通話中に、ＰＳＴＮ呼が発生した場合の呼待機サービス方法についての動作フローチャートである。
【図７Ａ】本発明の第３実施形態によるＶｏＩＰ端末におけるＰＳＴＮ呼通話中に、ＶｏＩＰ呼が発生した場合の呼待機サービスのための呼接続流れを示す図である。
【図７Ｂ】本発明の第３実施形態によるＶｏＩＰ端末におけるＰＳＴＮ呼通話中に、ＶｏＩＰ呼が発生した場合の呼待機サービスのための呼接続流れを示す図である。
【図８Ａ】本発明の第３実施形態によるＶｏＩＰ端末におけるＰＳＴＮ呼通話中に、ＶｏＩＰ呼が発生した場合の呼待機サービス方法についての動作フローチャートである。
【図８Ｂ】本発明の第３実施形態によるＶｏＩＰ端末におけるＰＳＴＮ呼通話中に、ＶｏＩＰ呼が発生した場合の呼待機サービス方法についての動作フローチャートである。
【符号の説明】
【０１１７】
１０、１１、１２、１２’、１３：電話機 
２０：ＶｏＩＰ端末
【図１】
2005184802.tif 000003
【図２】
2005184802.tif 000004
【図３Ａ】
2005184802.tif 000005
【図３Ｂ】
2005184802.tif 000006
【図４Ａ】
2005184802.tif 000007
【図４Ｂ】
2005184802.tif 000008
【図５Ａ】
2005184802.tif 000009
【図５Ｂ】
2005184802.tif 000010
【図６Ａ】
2005184802.tif 000011
【図６Ｂ】
2005184802.tif 000012
【図７Ａ】
2005184802.tif 000013
【図７Ｂ】
2005184802.tif 000014
【図８Ａ】
2005184802.tif 000015
【図８Ｂ】
2005184802.tif 000016